(57)【要約】【課題】従来のレンズフードは、レンズ鏡筒に対して回転できないように保持されているので、撮影時の遮光状態を変えることができない。そこで、レンズ鏡筒の遮光状態を変化させるモードと、その遮光状態を変化させないモードとを有するレンズフードを提供する。【解決手段】レンズフード１は、フード基体１０と先端フード環３０とを備える。先端フード環３０は先端に切欠き３３を有する。フード基体１０がアダプタ４０に取り付けられていないとき、先端フード環３０は、フード基体１０に対して回転可能に保持され、フード基体１０がアダプタに取り付けられているとき、先端フード環３０はフード基体１０に対して任意の回転位置で固定される。【選択図】図９
2005309269.tif 000002
【特許請求の範囲】
【請求項１】
カメラのレンズ鏡筒または前記レンズ鏡筒に取り付け可能なアダプタに取り付け可能な円筒状の取付体と、第１係合部とを有するフード基体と、
第２係合部を備え、前記第２係合部が前記第１係合部に係合することにより前記フード基体に保持され、先端に切欠きを有する先端フード環と、
を備えるレンズフードであって、
前記取付体が前記レンズ鏡筒または前記アダプタに取り付けられていないとき、前記先端フード環は、前記フード基体に対して回転可能に保持され、
前記取付体が前記レンズ鏡筒または前記アダプタに取り付けられているとき、前記先端フード環は前記フード基体に対して任意の回転位置で固定される、
ことを特徴とするレンズフード。
【請求項２】
カメラのレンズ鏡筒または前記レンズ鏡筒に取り付け可能なアダプタに取り付け可能な円筒状の取付体と、前記取付体に設けられ、前記カメラの光軸方向に貫通する孔が設けられた保持体と、第１係合部と、を備えるフード基体と、
前記保持体に設けられた孔の中で保持され、前記カメラの光軸方向に移動可能な移動体と、
第２係合部と、前記保持体に設けられた孔の少なくとも一部を塞ぐストッパー部とを有し、前記第２係合部が前記第１係合部に係合することにより前記フード基体に保持され、先端に切欠きを有する先端フード環と、
を備えるレンズフードであって、
前記取付体が前記レンズ鏡筒または前記アダプタに取り付けられていないとき、前記先端フード環は、前記フード基体に対して回転可能に保持され、
前記取付体が前記レンズ鏡筒または前記アダプタに取り付けられているとき、前記移動体が前記レンズ鏡筒によって前記先端フード環方向に押し込められ前記ストッパー部に押し付けられることにより、前記先端フード環は前記フード基体に対して任意の回転位置で固定される、
ことを特徴とするレンズフード。
【発明の詳細な説明】
【技術分野】
【０００１】
本発明は、カメラのレンズ鏡筒に取り付け可能なレンズフードに関し、特に、先端に切欠きを有するレンズフードに関するものである。
【背景技術】
【０００２】
従来、画面の四隅にレンズフードの一部が写り込むことを防ぐために、先端に切欠きを設けたレンズフードが知られている。また、そのような写り込みを確実に防止するために、レンズフードをカメラ鏡筒に対して、所定の回転位置でのみ取付可能としたレンズフード取付構造が特許文献１に開示されている。
【０００３】
この特許文献１に開示されている取付構造によれば、レンズフードの切欠きが常に画面の四隅に位置するように取り付けられるので、レンズフードの一部の写り込みは確実に防ぐことができる。
【特許文献１】特開平６−２６５７６７号公報
【発明の開示】
【発明が解決しようとする課題】
【０００４】
しかしながら上記従来のレンズフードは、レンズ鏡筒に対して回転できないように保持されているので、撮影時の遮光状態を変えることができないという問題があった。例えば、太陽などの光源の位置によって、レンズフードの切欠きの回転位置を変化させることができれば、撮影時の遮光状態を変化させることができ、ユーザーは好みの画像を得ることができる。
【０００５】
一方で、ユーザーの意図に反して撮影中に遮光状態が変化してしまうことは防止する必要がある。ユーザーの意図通りの画像を得るためである。
【０００６】
そこで、本発明の目的は、レンズ鏡筒の遮光状態を変化させるモードと、その遮光状態を変化させないモードとを有するレンズフードを提供することにある。
【課題を解決するための手段】
【０００７】
この目的を達成するためにレンズフードは、カメラのレンズ鏡筒またはレンズ鏡筒に取り付け可能なアダプタに取り付け可能な円筒状の取付体と、第１係合部とを有するフード基体と、第２係合部を備え、第２係合部が第１係合部に係合することによりフード基体に保持され、先端に切欠きを有する先端フード環と、を備えるレンズフードであって、取付体がレンズ鏡筒またはアダプタに取り付けられていないとき、先端フード環は、フード基体に対して回転可能に保持され、取付体がレンズ鏡筒またはアダプタに取り付けられているとき、先端フード環はフード基体に対して任意の回転位置で固定される、ことを特徴とする。
【０００８】
ここで、本発明のレンズフードは、上記構成に加えて、以下の構成を有するものであってもよい。フード基体は、取付体に設けられ、カメラの光軸方向に貫通する孔が設けられた保持体を備える。レンズフードは、保持体に設けられた孔の中で保持され、カメラの光軸方向に移動可能な移動体を備える。先端フード環は、保持体に設けられた孔の少なくとも一部を塞ぐストッパー部を有する。取付体がレンズ鏡筒またはアダプタに取り付けられているとき、移動体がレンズ鏡筒によって先端フード環方向に押し込められストッパー部に押し付けられることにより、先端フード環はフード基体に対して任意の回転位置で固定される。
【発明の効果】
【０００９】
以上のように本発明は、取付体がレンズ鏡筒またはアダプタに取り付けられていないとき、先端フード環は、フード基体に回転可能に保持される一方、取付体がレンズ鏡筒またはアダプタに取り付けられているとき、先端フード環はフード基体に対して任意の回転位置で固定される。そのため、レンズ鏡筒の遮光状態を変化させるモードと、その遮光状態を変化させないモードとを有するレンズフードを得ることができる。
【００１０】
従って、本発明のレンズフードによれば、ユーザーは、撮影時の遮光状態を変化させて、好みの画像を得ることができる一方、意図に反して撮影中に遮光状態が変化してしまうことを防止できる。そのため、ユーザーは、意図通りの画像を得ることができる。
【発明を実施するための最良の形態】
【００１１】
１．総論
以下、本発明の実施の形態におけるレンズフード１について、図１〜１０を用いて説明する。
【００１２】
図１にレンズフード１の斜視図を示す。レンズフード１は、フード基体１０と移動体２０と先端フード環３０とから構成される。先端フード環３０は、フード基体１０に対して回転可能である。移動体２０は、後述するように、フード基体１０に設けられた孔１２の中に保持されている。
【００１３】
図２は、レンズフード１とカメラ５０との接続について説明するための分解斜視図である。カメラ５０はレンズ鏡筒５１を有する。アダプタ４０は、レンズ鏡筒５１に着脱可能である。そして、レンズフード１はアダプタ４０に着脱可能である。従って、レンズフード１は、アダプタ４０を介してカメラ５０に着脱可能である。但し、本発明の実施の形態では、レンズフード１は、アダプタ４０を介してカメラ５０に着脱可能とするが、これには限らず、カメラ１に直接着脱可能としても良い。図２に示すように、レンズフード１がアダプタ４０に取り付けられていないとき、レンズフード１の先端フード環３０はフード基体１０に対して回転可能に保持される。
【００１４】
図３は、カメラ５０とアダプタ４０とレンズフード１との接続状態を示す側面図である。アダプタ４０はレンズ鏡筒５１に取り付けられ、レンズフード１はアダプタ４０に取り付けられている。この状態では、アダプタ４０はレンズ鏡筒５１に固定され、フード基体１０はアダプタ４０に固定され、先端フード環３０はフード基体１０に対して固定される。従って、先端フード環３０はカメラ５０に対して固定されるので、この状態で切欠き３３の回転位置が変わることはない。
【００１５】
２．レンズフード１の構成
図４は、レンズフード１の分解斜視図である。フード基体１０は、カメラ５０の光軸方向に貫通する孔１２を備える。移動体２０は円柱形状のものである。レンズフード１は、移動体２０を孔１２の中に収納した状態で、先端フード環３０をフード基体１０に取り付けることにより組み立てられる。
【００１６】
先端フード環３０は、フード基体１０側の端部に第２係合部３１を備え、先端に切欠き３３を備える。第２係合部３１は、フード基体１０の第１係合部１６と係合する。切欠き３３は、チューリップの花びら形状であるが、これには限らない。
【００１７】
次に、フード基体１０の形状について図５、６を用いて詳細に説明する。図５にフード基体１０の先端フード環３０から見た正面図を示し、図６にフード基体１０のカメラ５０から見た背面図を示す。フード基体１０は、取付体１１と保持体１３とストッパー部１４とを備える。
【００１８】
取付体１１は、アダプタ４０に取り付け可能な円筒状のものである。取付体１１の内側面には、図６に示すようにネジ１５が形成されており、そのネジ１５でアダプタ４０と螺合する。保持体１３は取付体１１に設けられている。保持体１３には、孔１２が設けられ、その孔１２の中に移動体２０を保持する。本実施の形態では、保持体１３を取付体１１と同心円状の形状に形成したが、これには限らず、保持体１３を取付体１１に設け、孔１２を光軸方向に設ければよい。例えば、孔１２を形成した部分にのみ保持体１３を形成しても良い。
【００１９】
孔１２の正面側は開口している。これに対して、背面側は、ストッパー部１４によって、孔１２の一部が塞がれている。これによって、移動体２０は、孔１２に正面側から入れることができる一方、背面側から飛び出すことはない。また、フード基体１０の先端フード環３０側には、第１係合部１６が形成されている。
【００２０】
図７は、レンズフード１の組立前の状態の断面図である。フード基体１０には上述の通り第１係合部１６が設けられている。先端フード環３０には第２係合部３１が設けられている。第２係合部３１を第１係合部１６に係合させることにより、先端フード環３０はフード基体１０に保持される。
【００２１】
図８に、フード基体１０と先端フード環３０とを組み合わせた状態の断面図を示す。第２係合部３１を第１係合部１６に係合している。そして、孔１２の正面側は、ストッパー部３２により、その一部が塞がれる。そのため、孔１２の中に保持された移動体２０は、正面側にも飛び出すことはない。
【００２２】
また、図８のようにレンズフード１がアダプタ４０に取り付けられていない場合には、移動体２０は、孔１２の中で光軸方向に移動可能である。そして、先端フード環３０は、移動体２０によって固定されることはないので、フード基体１０に対して回転可能である。
【００２３】
レンズフード１は、以上に説明した構成であり、上述したように、フード基体１０と移動体２０と先端フード環３０とを組み合わせることにより作成できる。
【００２４】
３．レンズフード１の機能
以下、レンズフード１を使用する際のレンズフード１の機能について説明する。
【００２５】
図９に、レンズフード１をアダプタ４０に取り付け始めた状態の断面図を示す。図示していないが、アダプタ４０はカメラ１に既に取り付けられ、固定されているものとする。レンズフード１をアダプタ４０に対して回すことにより、レンズフード１のネジ１５をアダプタ４０のネジ４１に螺合させる。そのまま回し進めると、途中でアダプタ４０の先端が移動体２０に接触する。この状態では、移動体２０は先端フード環３０に押し付けられていないので、先端フード環３０はフード基体１０に対して回転可能である。従って、この状態では、ユーザーは、先端フード環３０をフード基体１０に対して回すことにより、先端フード環３０の回転位置を調節できる。
【００２６】
上記状態から、フード基体１０をアダプタ４０に対して回し進めると、アダプタ４０の先端が孔１２の内部に進入し、アダプタ４０の先端によって移動体２０が押し込められる。そして、フード基体１０を最後まで回し切ると、アダプタ４０の先端が移動体２０を先端フード環３０のストッパー部３２に押し付ける。これによって、先端フード環３０はフード基体１０に対して固定される。この状態を図１０に示す。
【００２７】
先端フード環３０がフード基体１０に対して固定される直前の状態が、レンズ鏡筒５１の遮光状態を変化させるモードである。これに対して、先端フード環３０がフード基体１０に対して固定された状態が、その遮光状態を変化させないモードである。このモードでは、先端フード環３０は回転することがない。そのため、ユーザーが先端フード環３０に触れてしまい、ユーザーの意図に反して先端フード環３０の回転位置が変わるということを防止できる。
【００２８】
従って、ユーザーは、遮光状態を変化させるモードで先端フード環３０の回転位置を任意に調節し、その後、遮光状態を変化させないモードに移行して撮影することができる。
【産業上の利用可能性】
【００２９】
本発明にかかるレンズフードは、デジタルカメラに着脱可能なレンズフードに適用できるほか、アナログカメラまたは銀塩カメラに着脱可能なレンズフードにも適用できる。
【図面の簡単な説明】
【００３０】
【図１】本発明の実施の形態におけるレンズフードの斜視図
【図２】本発明の実施の形態におけるレンズフードの使用方法を説明するための分解斜視図
【図３】本発明の実施の形態におけるレンズフードを取り付けた状態の側面図
【図４】本発明の実施の形態におけるレンズフードの分解斜視図
【図５】本発明の実施の形態におけるフード基体の正面図
【図６】本発明の実施の形態におけるフード基体の背面図
【図７】本発明の実施の形態におけるレンズフードの分解断面図
【図８】本発明の実施の形態におけるレンズフードの機能を説明するための断面図
【図９】本発明の実施の形態におけるレンズフードの機能を説明するための断面図
【図１０】本発明の実施の形態におけるレンズフードの機能を説明するための断面図
【符号の説明】
【００３１】
１    レンズフード
１０    フード基体
１１    取付体
１２    孔
１３    保持体
１４    ストッパー部
１６    第１係合部
２０    移動体
３０    先端フード環
３１    第２係合部
４０    アダプタ
５０    カメラ
５１    レンズ鏡筒
【図１】
2005309269.tif 000003
【図２】
2005309269.tif 000004
【図３】
2005309269.tif 000005
【図４】
2005309269.tif 000006
【図５】
2005309269.tif 000007
【図６】
2005309269.tif 000008
【図７】
2005309269.tif 000009
【図８】
2005309269.tif 000010
【図９】
2005309269.tif 000011
【図１０】
2005309269.tif 000012